(57)【要約】【課題】  簡単に分解及び組み立てができる構造を有する火災感知器を提供する。【解決手段】  カバー２と本体３との係止は、第１係止爪２５と第１係止爪受け部３１からなる第１回動係止部１１と、第２係止爪２７と第２係止爪受け部３２からなる第２回動係止部１２が、カバー２の回動により本体３にカバー２を着脱自在に係止する。第１係止爪受け部３１は、垂直係止部３１ｂにより第１係止爪２５を下方から付勢し、第１係止爪２５の垂直方向における動作を制御する第１の係止構造とを備えている。第２係止爪受け部３２は、第２係止爪２７の両端が垂直溝３２ｅの第１水平係止端３２ｈ及び第２水平係止端３２ｉと嵌合し、第２係止爪２７の水平方向における動作を制御する第２の係止構造を備えている。【選択図】図３
2020113138.tif 000002
【特許請求の範囲】
【請求項１】
火災感知器の本体と、
一端が開口し前記本体を覆うように設けられる火災感知器のカバーと、
を備えた、設置面に取り付けられる火災感知器において、
前記カバーの周縁に設けられた係止爪と、前記本体の周縁に設けられた係止爪受け部と、からなる回動係止部が、前記カバーの回動により前記本体に前記カバーを着脱自在に係止することを特徴とする火災感知器。
【請求項２】
前記係止爪受け部は、
前記係止爪が係止する第１の係止構造と、第２の係止構造を有し、
前記第１の係止構造は、前記設置面に対して前記係止爪の垂直方向における前記係止爪の動作を制御する構造を備え、
前記第２の係止構造は、前記設置面に対して前記係止爪の水平方向における前記係止爪の動作を制御する構造を備えたことを特徴とする請求項１に記載の火災感知器。
【請求項３】
前記係止爪を前記設置面に対して垂直方向に動作させることで、前記第２の係止構造による前記係止爪の前記設置面に対して水平方向への回転の抑制が解除され、前記カバーを回転させることで、前記本体に対して前記カバーが取り外し可能となり、
前記係止爪を前記設置面に対して水平方向に回転させ、前記第１の係止構造により前記係止爪が前記設置面に対して垂直方向に動作することで、前記本体に前記カバーが係止されることを特徴とする請求項２に記載の火災感知器。
【請求項４】
前記設置面に設けられる火災感知器の感知器ベースを有し、
前記感知器ベースには、前記本体が回転により着脱自在に取り付けられ、
前記感知器ベースに前記本体を取り付ける回転方向と、前記本体から前記カバーを取り外す回転方向が同じになるように前記回動係止部を設けたことを特徴とする請求項1乃至３のいずれかに記載の火災感知器。
【発明の詳細な説明】
【技術分野】
【０００１】
本発明は、壁面又は天井等に取り付けられる煙や熱等を感知する火災感知器に関するものである。
【背景技術】
【０００２】
火災感知器には、熱や煙等を感知する種々のものがあるが、例えば、煙の火災感知器では、煙感知ユニットに虫が入らないように、煙感知ユニットの外周に防虫網が設けられている。この火災感知器を長期間天井に設置した場合、埃、塵、油などが防虫網表面や、火災感知器内部にたまってしまうことがある。このような埃、塵、油などは、煙感知ユニットへ入り込む煙の量を減少させ、煙が検出しにくくなる。そのような場合には、点検の際に火災感知器を分解して内部の汚れを取り除くことが考えられる。
【先行技術文献】
【特許文献】
【０００３】
【特許文献１】特開平８−１６７０８３号公報
【特許文献２】特開２０１４−１７０４９５号公報
【発明の概要】
【発明が解決しようとする課題】
【０００４】
しかし、火災感知器内の汚れを取り除くために火災感知器を分解するにあたり、設置場所で複数の部品を取り外し、火災感知器を分解後、火災感知器内部の掃除し、再び複数の部品を取り付けて組み立て直す必要があり、作業性が悪いと考えられる。これを解決するために、分解及び、組み立てが簡単な構造を持つ火災感知器が要望されている。
【０００５】
そこで、本発明は、簡単に分解及び組み立てができる構造を有する火災感知器を提供することを課題とするものである。
【課題を解決するための手段】
【０００６】
本発明は、火災感知器の本体と、一端が開口し前記本体を覆うように設けられる火災感知器のカバーと、を備えた、設置面に取り付けられる火災感知器において、前記カバーの周縁に設けられた係止爪と、前記本体の周縁に設けられた係止爪受け部と、からなる回動係止部が、前記カバーの回動により前記本体に前記カバーを着脱自在に係止することを特徴とする火災感知器である。
【発明の効果】
【０００７】
本発明によれば、カバーを回動するだけで本体からカバーを着脱自在にできるため、火災感知器内の汚れを取り除く等のメンテナンスのために火災感知器を簡単に分解することができ、しかもメンテナンス後に簡単に組み立てができる火災感知器を実現できる。
【図面の簡単な説明】
【０００８】
【図１】本発明の実施例１における煙感知器の下面図である。
【図２】本発明の実施例１における煙感知器の正面図である。
【図３】図１に示すＡ−Ａ線断面図である。
【図４】図２に示すＢ−Ｂ線断面図である。
【図５】図１に示すＣ−Ｃ線斜視断面図である。
【図６】本発明の実施例１における本体３と感知器ベース４の嵌合状態を分解して説明する分解斜視説明図である。
【図７】本発明の実施例２における煙感知器の下面図である。
【図８】本発明の実施例２における煙感知器の正面図である。
【図９】図７に示すＤ−Ｄ線断面図である。
【図１０】図８に示すＥ−Ｅ線断面図である。
【図１１】本発明の実施例２における回動係止部１０１の動作を説明する概略拡大斜視図である。
【発明を実施するための形態】
【０００９】
本願では煙感知器を火災感知器の実施形態として説明する。なお、本明細書において上下方向は煙感知器の天井を設置面とした設置状態での上下で示し、水平方向及び垂直方向は、設置面に対して水平方向及び垂直方向を示す。
【実施例１】
【００１０】
本発明の実施例１における煙感知器１の構成について説明する。
図１〜図５はそれぞれ、本発明の実施例１における煙感知器１の下面図、正面図、図１に示すＡ−Ａ線断面図、図２に示すＢ−Ｂ線断面図、図１に示すＣ−Ｃ線斜視断面図である。煙感知器１は、その外装を構成するカバー２と本体３と、本体３内に設けられた煙感知ユニット（図示せず）から構成され、天井や壁面に設置される。なお、煙感知ユニットは、光学台と光学台カバー、そして発光素子と受光素子と回路を備えた基板から構成され、外周には防虫網が設けられている。カバー２と本体３との係止は、第１係止爪２５と第１係止爪受け部３１からなる第１回動係止部１１と、第２係止爪２７と第２係止爪受け部３２からなる第２回動係止部１２が、カバー２の回動により本体３にカバー２を着脱自在に係止する。
【００１１】
煙感知器１のカバー２は、上部の一端が開口した扁平な円筒状であり、天井等に取り付けられた本体３と共に煙感知器１の煙感知ユニット等の内部部品を下方から覆うように保護する。カバー２の外周部２１と傾斜部２２は、カバー２の周縁と下面における周囲部分により内部部品を覆うものであり、外周部２１は円筒状で傾斜部２２は傾斜が緩やかな円錐状となっている。また、傾斜部２２の中央部分には下方に突出した中央凸部２３が、その中央凸部２３の外周には、煙を導入するための開口部２４が設けられている。本実施例では開口部２４は、中央凸部２３の周囲に沿って６箇所設けられ、煙発生時に煙が通って煙感知ユニット内に流入し、煙感知器１が煙を感知する。外周部２１の内側面には水平方向に突出した平板状の第１係止爪２５が設けられている。そして、カバー２の内側の周縁には、第１係止爪２５とは別の位置に傾斜部２２の内側から垂直方向に延出形成された弧状壁２６が設けられている。弧状壁２６の内側面には、水平方向に突出した棒状の第２係止爪２７が設けられている。また第１係止爪２５と第２係止爪２７を設けた弧状壁２６とはそれぞれ、カバー２を平面視した場合に中心を対称点として点対称の位置に２箇所設けられている。そして、第１係止爪２５と第２係止爪２７の下端は垂直方向に対して略同一位置に配置されている。傾斜部２２には、第１係止爪２５と第２係止爪２７の下方の位置にそれぞれ、視認窓２２ａ，２２ｂが設けられている。視認窓２２ａ，２２ｂはそれぞれ、第１係止爪２５と第１係止爪受け部３１からなる第１回動係止部１１と、第２係止爪２７と第２係止爪受け部３２からなる第２回動係止部１２の係止状態を視認するため貫通孔である。
【００１２】
煙感知器１の本体３は、図３、図４に示すように、円盤状の板状体からなり、カバー２の上部の開口を覆うものである。本体３の下面は、煙感知ユニットが取付けられる構造となっている。本体３の下面の周縁には、第１係止爪受け部３１と第２係止爪受け部３２がそれぞれ、カバー２を回動して本体３に係止したときに、第１係止爪２５が第１係止爪受け部３１と、第２係止爪２７が第２係止爪受け部３２に係止する位置に設けられている。また、第１係止爪受け部３１と第２係止爪受け部３２は同一の円周上に設けられている。第１係止爪受け部３１は、本体３の下面から下方に突出し、屈曲した細長い平板形状である。また、第１係止爪受け部３１は、矢印Ｘ方向に向かって順に、弾性部３１ａと、水平方向に設けられて上面が略水平な垂直係止部３１ｂと、下方矢印Ｘ方向に傾斜している傾斜端部３１ｃから構成されている。そして、弾性部３１ａは、円弧状に湾曲して形成され、垂直係止部３１ｂに一定以上の力が加わると、弾性部３１ａが撓んで垂直係止部３１ｂが上下するように構成されている。従って、第１係止爪受け部３１は、上から力を加えられると弾性部３１ａを基点として垂直係止部３１ｂ及び傾斜端部３１ｃが下方へ傾斜し、力が加えられなくなると垂直係止部３１ｂ及び傾斜端部３１ｃは元の位置に戻り、板バネと同様の効果を有する。
【００１３】
次に、第２係止爪受け部３２は、本体３の下面から下方に垂直方向に延出形成された弧状壁と溝からなる。第２係止爪受け部３２は、矢印Ｘ方向の順に、下方矢印Ｘ方向に傾斜して延出形成された突出部３２ａを備えた弧状壁と、誘導溝３２ｂと、下端が水平な水平部３２ｃを備えた弧状壁から構成されている。誘導溝３２ｂは、矢印Ｘ方向の下方へ向かって傾斜している傾斜溝３２ｄと垂直溝３２ｅからなる略く字状の貫通溝である。突出部３２ａは傾斜溝３２ｄの一端である第１傾斜端３２ｆを備え、水平部３２ｃの垂直位置より下方に突出して構成されている。傾斜溝３２ｄの両端は、水平方向に対して鋭角の傾斜角を有する第１傾斜端３２ｆと、水平方向に対して鋭角で、その傾斜角が第１傾斜端３２ｆの傾斜角より狭い第２傾斜端３２ｇから構成されている。また、垂直溝３２ｅの両端は、第１水平係止端３２ｈと第２水平係止端３２ｉから構成されている。水平部３２ｃは第２傾斜端３２ｇと、第２傾斜端３２ｇは第２水平係止端３２ｉと連設しており、第１傾斜端３２ｆは第１水平係止端３２ｈと連設している。そして、誘導溝３２ｂは第２係止爪２７が挿通して移動するように構成されている。第２水平係止端３２ｉの下端（第２水平係止端３２ｉと第２傾斜端３２ｇとの境界の位置）は、第１係止爪受け部３１の垂直係止部３１ｂの上面と本体３の垂直方向に対して略同一位置にある。このようにして、係止のための構成があっても火災感知器の垂直方向の厚さを抑えることができる。また、第１水平係止端３２ｈの下端は、第２水平係止端３２ｉの下端よりも延伸して下方の位置にある。なお、第１係止爪受け部３１の傾斜端部３１ｃと第２傾斜端３２ｇの傾斜方向は同一方向であり、傾斜端部３１ｃの水平方向に対する傾斜角は第２傾斜端３２ｇの傾斜角より広い構成となっている。
【００１４】
係止状態では、第１係止爪受け部３１と第２係止爪受け部３２はそれぞれ、第１係止爪２５と第２係止爪２７が取り付けられている位置より内側に配置されている。また、第１係止爪受け部３１は、係止状態では、垂直係止部３１ｂにより第１係止爪２５を下方から付勢し、第１係止爪２５の垂直方向における動作を制御する第１の係止構造を備えている。そして、第２係止爪受け部３２は、係止状態では、第２係止爪２７の両端が垂直溝３２ｅの第１水平係止端３２ｈ及び第２水平係止端３２ｉに挟まれ、第２係止爪２７の水平方向における動作を制御して制止する第２の係止構造を備えている。従って、カバー２は、下記の手順を行わない限り、本体３から取り外すことはできない。また、カバー２と本体３との嵌合は、カバー２に設けた弧状壁２６の先端部２６ａとこれが嵌まり込む本体３の周縁に設けた弧状凹部３３で行われる。なお、本体３の上面には、周方向に沿って導電性の刃金具３４が取り付けられる。
【００１５】
図６は、本体３と感知器ベース４の嵌合状態を分解して説明する分解斜視説明図である。感知器ベース４は、上面が設置面に取り付けられ、下面に本体３が回転して着脱自在に取り付けられる構成となっている。感知器ベース４は、平面視して円形であり、周方向に沿って、導電性の端子部４１および端子部４１と一体成形された刃受金具４２がそれぞれ４つ設けられており、ネジ挿通穴４３が２つ形成されており、中央部には引き込み口４４が形成されている。ネジ挿通穴４３は、感知器ベース４を設置面にネジ止めして取り付けるために設けられたものである。引き込み口４４は、外部から感知器回線（図示しない)を感知器ベース４内に引き込むために設けられた穴であり、引き込み口４４から感知器ベース４内に引き込まれた感知器回線は端子部４１に接続される。本体３は、本体３の上面に取り付けられた刃金具３４を、感知器ベース４の下面に設けられた刃受金具４２に合わせて回転させて、刃金具３４が刃受金具４２に挿入結合して設置面に取り付けられた感知器ベース４に取り付けられる。なお、刃受金具４２の挿入口４２ａは矢印Ｙ方向に開口して設けられている。従って、感知器ベース４に本体３を取り付ける回転方向は、矢印Ｘ方向である。
【００１６】
本実施例において、カバー２を本体３から取り外す手順について図３〜５により説明する。
先ず、カバー２を垂直方向の下方に第２係止爪２７の下端が第１水平係止端３２ｈの下端の位置になるまで引き下げる。この時、第１係止爪２５により第１係止爪受け部３１が押し下げられて撓み垂直係止部３１ｂが傾斜する。第２係止爪２７は引き下げられたことで垂直溝３２ｅとの嵌合が外れ、第２係止爪２７の第２の係止構造による水平方向で矢印Ｘ方向への回転の抑制が解除される。次に、カバー２を矢印Ｘ方向へ回転させると、第２係止爪２７は、傾斜溝３２ｄ内を移動する。第２係止爪２７は、第２傾斜端３２ｇより下方に付勢され、同時に第１係止爪２５は、垂直係止部３１ｂから傾斜端部３１ｃ上に移動して、傾斜端部３１ｃを押し下げながら矢印Ｘ方向へ移動する。第２係止爪２７は、少なくとも傾斜溝３２ｄに沿って移動するため、カバー２は矢印Ｘ方向へ回転しながら下方に移動する。第１係止爪２５と第２係止爪２７の下方をそれぞれ、第１係止爪受け部３１と第２係止爪受け部３２の突出部３２ａが覆わない位置までカバー２を回転させると、本体３に対してカバー２を取り外すことができる。
【００１７】
次に、カバー２を本体３に取り付ける手順について図３〜５により説明する。
先ず、第２係止爪２７を第２係止爪受け部３２の傾斜溝３２ｄの開口位置に配置されるようにカバー２を下から本体３に被せ、第２係止爪２７が第２傾斜端３２ｇに当接するまでカバー２を本体３の方向に押し込む。次に、カバー２を矢印Ｙ方向へ水平方向に回転させると第２係止爪２７が、誘導溝３２ｂの傾斜溝３２ｄにより誘導されてカバー２は矢印Ｙ方向に回転しながら上方へ移動する。このとき、第１係止爪２５が第１係止爪受け部３１の傾斜端部３１ｃに当接する位置からカバー２を矢印Ｙ方向に回転する事になる。第２係止爪２７が第２傾斜端３２ｇにより上方への移動が制限されているので、第１係止爪２５は第２係止爪２７と同一の軌跡で上方へ螺旋状に移動する。従って、第１係止爪２５は、傾斜端部３１ｃを下方に付勢しながら傾斜端部３１ｃ上を矢印Ｙ方向に移動する。第２係止爪２７が、回転により第１水平係止端３２ｈに当接すると同時に、第１係止爪２５は、傾斜端部３１ｃから垂直係止部３１ｂの上面に移動する。第２係止爪２７は、垂直溝３２ｅの開口部の下端に位置するため第２傾斜端３２ｇによる上方からの抑制がなくなる。第１係止爪２５も第１係止爪受け部３１を下方に付勢する抑制がなくなるので、下方に付勢されていた第１係止爪受け部３１の弾力で第１係止爪２５を垂直係止部３１ｂの定位置まで上方に持ち上げる。同時に第２係止爪２７も垂直溝３２ｅに沿って上方に移動し、第２係止爪２７の両端が垂直溝３２ｅの第１水平係止端３２ｈ及び第２水平係止端３２ｉに挟まれることで、カバー２が本体３に係止される。カバー２は、第１の係止構造により、第１係止爪２５が垂直方向の上方に動作することで、本体３に係止することができる。
【００１８】
以上のように、実施例１は、本体３と、一端が開口し本体３を覆うように着脱自在に設けられるカバー２と、を備えた、設置面に取り付けられる煙感知器１において、カバー２の周縁から半径方向に向けて突出した第１係止爪２５及び第２係止爪２７と、本体３の周縁に設けられた第１係止爪受け部３１及び第２係止爪受け部３２と、からなる第１回動係止部１１及び第２回動係止部１２を備えたものである。そして、第１係止爪受け部３１は、一端が本体３の周縁に取り付けられ他端が周方向に向かう、弾性を有した弾性部３１ａと、弾性部３１ａの他端から一端が延在し第１係止爪２５に当接して弾性により上方に押し上げる垂直係止部３１ｂと、垂直係止部３１ｂの他端から斜め下方に延在し、第１係止爪２５が周方向に移動すると上面に当接する傾斜端部３１ｃとから構成される。また、第２係止爪受け部３２は、第２係止爪２７の周方向の移動を制止する第１水平係止端３２ｈ及び第２水平係止端３２ｉからなる垂直溝３２ｅを備える。
【００１９】
実施例１によれば、垂直係止部３１ｂが第１係止爪２５を押し上げる力に抗してカバー２を引き下げることにより第２係止爪２７を垂直溝３２ｅから外し、水平方向に回転させて第１係止爪２５を第１係止爪受け部３１の上面から外してカバー２を本体３から取り外すことができる。そのため、煙感知器１を設置面に取付けた状態で、片手でカバー２を引き下げてから水平方向に回転させるという２つの動作のみで、カバー２を本体３から簡単に取り外して煙感知器１を分解することができる。また、カバー２を本体３に被せて水平方向に回転させると、第１係止爪２５が傾斜端部３１ｃの上面から垂直係止部３１ｂの上面に入り、生じた弾性によりカバー２が押し上げられて、第２係止爪２７が垂直溝３２ｅに入り込み、カバー２を本体３に取り付けることができる。そのため、片手でカバー２を本体３に被せて水平方向に回転させる動作のみで煙感知器１の組み立てを簡単にすることができる。また、カバー２を本体３に取付けるための複数の部品が必要ないため、煙感知器１内部の掃除等のメンテナンスの作業性を向上することができる。
【００２０】
さらに実施例１では、第２水平係止端３２iに連接して、第２係止爪２７の斜め方向の移動を制止する、第２傾斜端３２ｇを有する。傾斜端部３１ｃと第２傾斜端３２ｇの傾斜方向は同じであり、カバー２の取り付けの際に第１係止爪２５を第１係止爪受け部３１の上面に容易に誘導することができる。また、第１傾斜端３２ｆもカバー２の取り付けの際に第１係止爪２５を第１係止爪受け部３１の上面に容易に誘導する機能を有する。
【００２１】
実施例１では図６に示す設置面に取り付けられた感知器ベース４に煙感知器１が取り付けられる。実施例１では、感知器ベース４に本体３を取り付ける回転方向と、本体３からカバー２を取り外す回転方向が、矢印Ｘ方向となり同じ回転方向になるように第１回動係止部１１と第２回動係止部１２を設けている。従って、上記のようにカバー２を回転させることによってカバー２を本体３から取り外す際に、本体３は矢印Ｘ方向に回転せず、本体３が感知器ベース４から外れることを防止することができる。また、実施例１では、カバー２を本体３から取り外す際に、カバー２を引き下げることでカバー２と本体３の水平方向の係止が解除される。そのため、カバー２を引き下げた後にカバー２を回転させた際に、カバー２から本体３へ回転の力が伝わりにくい。従って、図６とは逆に、本体３が外れる回転方向が、矢印Ｘ方向である感知器ベースに煙感知器１が取り付けられていたとしても本体３は感知器ベースから外れにくい。
【００２２】
実施例１の変形例として、第１係止爪２５と第２係止爪受け部３２の突出部３２ａは、なくてもよい。この場合、第１係止爪受け部３１を第２係止爪受け部３２の内側に隣接し、第２水平係止端３２ｉの位置に垂直係止部３１ｂと傾斜端部３１ｃの境界が位置するように設ける。この実施例によれば、第１の係止構造の動作を第１係止爪２５の代わりに第２係止爪２７で行うことができ、実施例１と同様の効果を得ることができる。
また、実施例１では、第１係止爪２５と第２係止爪２７は内方に突出し、内方に設けられた第１係止爪受け部３１、第２係止爪受け部３２との作用でカバー２が係止される。しかし、外方に突出した第１係止爪と第２係止爪が外方に設けられた第１係止爪受け部、第２係止爪受け部との間で作用して、カバーが係止されるようにしてもよい。
なお、実施例１の煙感知器１は感知器ベース４を介さずに、本体３を設置面に直接取付けることもできる。
【実施例２】
【００２３】
図７〜図１１はそれぞれ、本発明の実施例２における煙感知器１００の下面図、正面図、図７に示すＤ−Ｄ線断面図、図８に示すＥ−Ｅ線断面図、回動係止部１０１の動作を説明する概略拡大斜視図である。なお、実施例１と同一部分や対応する部分には同一の符号を付して説明は省略する。煙感知器１００は、実施例１と同様に、その外装を構成するカバー２と本体３と、本体３内に設けられた煙感知ユニット（図示せず）から構成され、天井や壁面に設置される。また、カバー２と本体３との係止は、係止爪２８と第１係止爪受け部３５及び第２係止爪受け部３６からなる回動係止部１０１が、カバー２の回動により本体３にカバー２を着脱自在に係止する。
【００２４】
カバー２の形状は、実施例１のものと略同じであるが、傾斜部２２に視認窓２２ａ，２２ｂはなく、代わりに係止爪２８を操作するための操作窓２２ｃを設けている。操作窓２２ｃは、傾斜部２２内側に設けられた係止爪２８の直下に設けられており、棒状の操作具（図示せず）等を操作窓２２ｃから挿入して係止爪２８を垂直方向に動かすために使用される。係止爪２８は、カバー２の周縁に位置し、細長の逆Ｌ字状に屈曲した平板形状を有し、カバー２の傾斜部２２の内側から垂直方向に立設した基部２８ａと、基部２８ａの先端からカバー２の外周方向に水平に設けられた水平部２８ｂから構成される。また、基部２８ａは、水平部２８ｂに下から一定以上の力を加えられると撓み、力が加えられなくなると元の位置に戻る弾性構造を有し、板バネと同様の効果を有する。
【００２５】
本体３の形状は、実施例１のものと略同じであるが、本体３の下面の周縁には、第１係止爪受け部３５と第２係止爪受け部３６が、カバー２を回動して本体３に係止したときに、係止爪２８が第１係止爪受け部３５と第２係止爪受け部３６に当接する位置に設けられている。また、第２係止爪受け部３６は、第１係止爪受け部３５より内側に隣接して設けられている。第１係止爪受け部３５は、縦断面が略Ｊ字状である。そして、本体３から下方の垂直方向に立設した第１水平係止部３５ａと、第１水平係止部３５ａの下端から矢印Ｘ方向に水平に設けられた第１垂直係止部３５ｂと、第１垂直係止部３５ｂの第１水平係止部３５ａと相対する反対側の一端に垂直上方に突出した第２水平係止部３５ｃから構成される。第２係止爪受け部３６は、細長い屈曲した平板形状であり、本体３の下面から下方矢印Ｙ方向に傾斜した弾性部３６ａと、弾性部３６ａから矢印Ｙ方向に水平に連接されて設けられている第２垂直係止部３６ｂから構成される。第２係止爪受け部３６の第２垂直係止部３６ｂは、第１係止爪受け部３５の第２水平係止部３５ｃの先端より上方に位置し、カバー２を本体３に係止したときには、第１垂直係止部３５ｂと第２垂直係止部３６ｂで係止爪２８の水平部２８ｂを上下に挟み込む位置関係にある。また、第２垂直係止部３６ｂは、下から一定以上の力を加えられると弾性部３６ａを基点として上方へ撓み、力が加えられなくなると元の水平位置に戻り、板バネと同様の作用を有する。なお、本体３の上面には、実施例１と同様に周方向に沿って導電性の刃金具３４が取り付けられる。
【００２６】
係止爪２８は、図１０に示すように、係止状態で基部２８ａが第２係止爪受け部３６の内側に位置し、水平部２８ｂの先端が第１係止爪受け部３５の第１垂直係止部３５ｂ上に位置する。また、第１係止爪受け部３５の第１垂直係止部３５ｂと第２係止爪受け部３６の第２垂直係止部３６ｂは、係止状態では、下方（カバー２側）と上方（本体３側）から係止爪２８を挟み込んで付勢し、係止爪２８の垂直方向における動作を制御する第１の係止構造とを備えている。そして第１係止爪受け部３５の第１水平係止部３５ａと第２水平係止部３５ｃは、係止状態では、係止爪２８の両端に位置し、係止爪２８の水平方向における動作を制御する第２の係止構造を備えている。従って、カバー２は、下記の手順を行わない限り、本体３から取り外すことはできない
【００２７】
実施例２において、カバー２を本体３から取り外す手順について図９〜１１により説明する。
まず、図１１（ａ）に示す係止状態において操作具を操作窓２２ｃに挿入し、係止爪２８の水平部２８ｂを押して、基部２８ａと第２係止爪受け部３６を撓ませ、第２水平係止部３５ｃの先端より高い位置まで水平部２８ｂの先端を垂直方向の上方に移動させる。すると、第２水平係止部３５ｃによる矢印Ｘ方向への回転の抑制が解除される。次に、水平部２８ｂを操作具で押しながらカバー２を矢印Ｘ方向へ回転させ、水平部２８ｂが第２水平係止部３５ｃの先端上を越えて第１垂直係止部３５ｂの上方から移動したとき操作具を操作窓２２ｃから取り出すと図１１（ｂ）の状態となる。図１１（ｂ）の状態では、第１係止爪受け部３５の第１垂直係止部３５ｂからの水平部２８ｂの垂直方向の下方への抑制が解除されるので、本体３に対してカバー２を取り外すことができる。
【００２８】
次に、カバー２を本体３に取り付ける手順について図９〜１１により説明する。
先ず、係止爪２８を図１１（ｂ）の位置に配置されるようにカバー２を下から本体３に被せる。次に、操作具を操作窓２２ｃに挿入し、係止爪２８の水平部２８ｂを垂直方向の上方に基部２８ａと第２係止爪受け部３６の弾性部３６ａが撓む強さで第２水平係止部３５ｃの先端より高い位置まで水平部２８ｂの先端を垂直方向の上方に動作させる。そして、水平部２８ｂを操作具で押しながら矢印Ｙ方向へ回転させ、水平部２８ｂが第２水平係止部３５ｃの先端の上を越えて第１垂直係止部３５ｂの上方で第１水平係止部３５ａに当接したら操作具を操作窓２２ｃから取り出す。そうすると、基部２８ａと第２係止爪受け部３６が下方からの付勢がなくなるので、垂直方向の下方に移動し、元の状態に戻り、水平部２８ｂが第１垂直係止部３５ｂにより係止されて図１１（ａ）に示す状態となる。第１の係止構造により、係止爪２８を垂直方向の上方に一度移動させて、カバー２を本体３に係止することができる。
【００２９】
以上のように、実施例２は、煙感知器１００の本体３と、一端が開口し本体３を覆うように着脱自在に設けられる火災感知器のカバー２と、を備えた、設置面に取り付けられる煙感知器１００において、カバー２の周縁に設けられた係止爪２８と、本体３の周縁に設けられた第１係止爪受け部３５と、を備えたものである。そして、係止爪２８は弾性構造を有し、第１係止爪受け部３５は、係止爪２８の周方向の移動を制止する第１水平係止部３５ａ及び本体３側に先端を備えた第２水平係止部３５ｃと、第１水平係止部３５ａと第２水平係止部３５ｃの間に設けた係止爪２８のカバー２側への移動を制止する第１垂直係止部３５ｂから構成される。また、係止爪２８と第１係止爪受け部３５の係止時には、係止爪２８の３方を第１係止爪受け部３５で囲むように構成する。そして、係止爪２８を本体３側に撓ませてカバー２を回転させることにより、係止爪２８を第２水平係止部３５ｃの先端上を通過させる構成とする。実施例２の煙感知器１００は、上記構成により、カバー２の回動により本体３にカバー２を係止するように構成したものである。
また、弾性を有した第２係止爪受け部３６によって係止爪２８を第１垂直係止部３５ｂの側に押しつけることにより、係止爪２８と第２水平係止部３５ｃの当接を確実にして、使用時におけるカバー２と本体３との間の回転を確実に防止することができる。
【００３０】
実施例２によれば、操作具により係止爪２８の水平部２８ｂを押し上げて水平方向に回転させるだけでカバー２を本体３から取り外すことができるので、煙感知器１００を設置面に取り付けた状態でカバー２を本体３から簡単に取り外して煙感知器１００を分解することができる。また、カバー２を本体３に被せて操作具により係止爪２８の水平部２８ｂを押し上げて水平方向に回転させるだけで、カバー２を本体３に取り付けることができるので、煙感知器１００の組み立てを簡単にすることができる。また、カバー２を本体３に取付けるための複数の部品が必要ないため、煙感知器１００内部の掃除等のメンテナンスの作業性を向上することができる。また、煙感知器１００を分解する際には、操作窓２２ｃに操作具を挿入して係止爪２８の水平部２８ｂを押し上げなければならないので、カバー２に外力が加わることによりカバー２が不要に本体３から取り外されることがない。従って、メンテナンスの際の作業性の向上だけでなく防犯等の安全性や信頼性を向上することができる。
【００３１】
なお、本体３は直接設置面に取付けられる場合もあるが、実施例１と同様に図６に示す感知器ベース４にも取り付けられる。本実施例では、感知器ベース４に本体３を取り付ける回転方向と、本体３からカバー２を取り外す回転方向が、矢印Ｘ方向となり同じ回転方向になるように回動係止部１０１を設けている。従って、上記のようにカバー２を回転させることによって、カバー２を本体３から取り外す際に本体３が矢印Ｘ方向に回転したとしても、本体３も感知器ベース４から外れることを防止することができる。また、実施例２では、カバー２を本体３から取り外す際に、係止爪２８の水平部２８ｂを押し上げることで、カバー２と本体３の水平方向の係止が解除される。そのため、水平部２８ｂを押し上げた後にカバー２を矢印Ｘ方向に回転させた際に、カバー２から本体３への回転の力が伝わりにくい。従って、図６とは逆に、本体３が外れる回転方向が、矢印Ｘ方向である感知器ベースに煙感知器１００が取付けられていたとしても本体３は感知器ベースから外れにくい。
【００３２】
実施例２の変形例１として、第２水平係止部３５ｃのＸ方向側の側面を上方Ｙ方向に向けて傾斜する傾斜側面として設けてもよい。この構造によれば、カバー２を本体３に取り付けるためにカバー２をＹ方向に回転させたときに水平部２８ｂが傾斜側面に沿って上方に移動し、第２水平係止部３５ｃの先端の上を通過させることができる。従って、この変形例１によれば、実施例２と同様の効果と共に水平部２８ｂを操作具で上方に押さなくても回転させるだけでカバー２を本体３に係止させることができる。
【００３３】
更に、実施例２の変形例２として、第１係止爪受け部３５と第２係止爪受け部３６の位置を入れ替えて、第１係止爪受け部３５を第２係止爪受け部３６の内側に配置する。また、係止爪２８の代わりに外周部２１の内側面に水平方向に突出した平板状の係止爪を上下に撓むように設け、係止爪先端が第１垂直係止部３５ｂに係止するように配置する。そして、係止状態では、係止爪が第１垂直係止部３５ｂと第２垂直係止部３６ｂに上下に挟まれる位置に設ける。この変形例２によれば、実施例２と同様の効果を得ることができる。なお、第２水平係止部３５ｃを上記変形例１の構造としてもよい。
第２係止爪受け部３６は、カバー２が取り付けられた状態で係止爪２８を上方から付勢する事により、簡単に係止が外れないようにするものである。しかし、係止爪２８の弾性が十分に強い、または第２水平係止部３５ｃの突出が十分に大きいなどにより、係止が外れにくい構造であれば、第２係止爪受け部３６は省略することも可能である。
【００３４】
上記実施例では取付面が天井であるが、取付面は壁や斜め天井等でもよく、上記実施例に限定されることはない。また、上記実施例では、カバー２を本体３から取り外すためにカバー２を回転させる方向は矢印Ｘ方向であるが、第１回動係止部１１と第２回動係止部１２及び回動係止部１０１の設置方向を変えて逆の矢印Ｙ方向をカバー２の取り外しの回転方向にしてもよい。上記実施例では、実施形態として煙感知器により説明したが、本願発明はこれに限定されることはなく、熱感知器等の種々の火災感知器に適用可能なものである。
【符号の説明】
【００３５】
１，１００  煙感知器、１１  第１回動係止部、１２  第２回動係止部、１０１  回動係止部、２  カバー、２１  外周部、２２  傾斜部、２２ａ，２２ｂ  視認窓、２２ｃ  操作窓、２３  中央凸部、２４  開口部、２５  第１係止爪、２６  弧状壁、２７  第２係止爪、２８  係止爪、２８ａ  基部、２８ｂ，３２ｃ  水平部、３  本体、３１，３５  第１係止爪受け部、３１ａ，３６ａ  弾性部、３１ｂ  垂直係止部、３１ｃ  傾斜端部、３２，３６  第２係止爪受け部、３２ａ  突出部、３２ｂ  誘導溝、３２ｄ  傾斜溝、３２ｅ  垂直溝、３２ｆ  第１傾斜端、３２ｇ  第２傾斜端、３２ｈ  第１水平係止端、３２ｉ   第２水平係止端、３３  弧状凹部、３４  刃金具、３５ａ  第１水平係止部、３５ｂ  第１垂直係止部、３５ｃ  第２水平係止部、３６ｂ 第２垂直係止部、４  感知器ベース、４１  端子部、４２  刃受金具、４２ａ  挿入口、４３  ネジ挿通穴、４４  引き込み口
【図１】
2020113138.tif 000003
【図２】
2020113138.tif 000004
【図３】
2020113138.tif 000005
【図４】
2020113138.tif 000006
【図５】
2020113138.tif 000007
【図６】
2020113138.tif 000008
【図７】
2020113138.tif 000009
【図８】
2020113138.tif 000010
【図９】
2020113138.tif 000011
【図１０】
2020113138.tif 000012
【図１１】
2020113138.tif 000013